(57)【特許請求の範囲】
【請求項１】
長方形状の前面部を有してガスセンサを収容するケース体と、前記前面部に配置されるとともに電線の端子が接続される端子台と、を備えたガス警報器であって、
前記端子台における前記端子の接続方向が、前記前面部の長辺及び短辺に対して傾斜し、
前記ケース体に、前記前面部と背面部とを連通するとともに前記長辺の方向及び前記短辺の方向において互いに異なる位置に配置され、前記電線が挿通される２つの挿通孔が形成され、
前記接続方向が、前記２つの挿通孔同士を結ぶ方向と交差していることを特徴とするガス警報器。
【請求項２】
前記接続方向が、前記前面部に対して所定の仰角を有していることを特徴とする請求項１に記載のガス警報器。
【請求項３】
前記端子台が、前記前面部に沿う平面内かつ前記接続方向に交差する方向に並設された複数の端子接続部を有することを特徴とする請求項１又は２に記載のガス警報器。
【発明の詳細な説明】
【技術分野】
【０００１】
本発明は、ケース体と、ケース体の前面部に配置された端子台と、を備えたガス警報器に関する。
【背景技術】
【０００２】
一般に、ガス警報器は、２本の信号線がガスメータに接続され、ガス漏れ時に信号線を介してガスメータに信号を送信し、ガス流路を遮断するように構成されている。さらに、落雷時に内部回路を保護するための接地線がガス警報器に接続されることにより、サージ電流が信号線に流れないように構成されることがある。
【０００３】
このようなガス警報器として、内部回路にヒューズが接続されたものが提案されている（例えば、特許文献１参照）。このようなガス警報器では、接地線が接続されていない場合にサージ電流によってヒューズが溶断されるようになっており、サージ電流が信号線を流れることが抑制される。また、このヒューズは、正面視長方形状のガス警報器の前面に対して着脱可能に構成されている。
【先行技術文献】
【特許文献】
【０００４】
【特許文献１】特開２００９−２３７７４４号公報
【発明の概要】
【発明が解決しようとする課題】
【０００５】
ところで、ガス警報器の前面には、信号線や接地線等の電線の端子が接続される端子台が設けられることがある。このとき、ガス警報器を室内の壁部等に設置した後に電線の接続作業を実施しやすいように、端子台における端子の接続方向が適宜に設定される。しかしながら、設置スペースが限られている場合には、正面視長方形状のガス警報器が縦配置（長辺が鉛直方向を向く配置）されたり、横配置（長辺が水平方向を向く配置）されたりする。従って、例えば縦配置を想定して端子の接続方向を設定した際にガス警報器が横配置されてしまうと、端子の接続作業が困難になってしまう。
【０００６】
本発明の目的は、端子接続の作業性を向上させることができるガス警報器を提供することにある。
【課題を解決するための手段】
【０００７】
前記課題を解決し目的を達成するために、請求項１に記載された発明は、長方形状の前面部を有してガスセンサを収容するケース体と、前記前面部に配置されるとともに電線の端子が接続される端子台と、を備えたガス警報器であって、前記端子台における前記端子の接続方向が、前記前面部の長辺及び短辺に対して傾斜し、前記ケース体に、前記前面部と背面部とを連通するとともに前記長辺の方向及び前記短辺の方向において互いに異なる位置に配置され、前記電線が挿通される２つの挿通孔が形成され、前記接続方向が、前記２つの挿通孔同士を結ぶ方向と交差していることを特徴とするガス警報器である。
【０００８】
請求項２に記載された発明は、請求項１に記載の発明において、前記接続方向が、前記前面部に対して所定の仰角を有していることを特徴とするものである。
【０００９】
請求項３に記載された発明は、請求項１又は２に記載の発明において、前記端子台が、前記前面部に沿う平面内かつ前記接続方向に交差する方向に並設された複数の端子接続部を有することを特徴とするものである。
【発明の効果】
【００１１】
請求項１に記載された発明によれば、端子台における端子の接続方向が、長方形状の前面部の長辺及び短辺に対して傾斜していることから、ガス警報器を縦配置した際にも横配置した際にも端子を端子台に接続しやすくすることができ、端子接続の作業性を向上させることができる。また、前面部と背面部とを連通する挿通孔に電線が挿通されることにより、ガス警報器を壁部に設置した際に、電線をこの壁部に沿って配索しやすくすることができる。さらに、ケース体にこのような挿通孔が２つ形成されていることから、ガス警報器の設置位置や電線の配索先等に応じて挿通孔を適宜に選択し、電線を配索しやすくすることができる。このとき、端子の接続方向が２つの挿通孔同士を結ぶ方向と交差していることから、いずれの挿通孔を選択した場合でも、電線を曲げた際に曲率半径が小さくなりすぎないようにして電線に加わるストレスを軽減することができる。
【００１２】
請求項２に記載された発明によれば、端子の接続方向が前面部に対して仰角を有している、即ち、前面部に沿った平面に対して面直方向に傾いていることから、接続方向がこの平面に沿って延びる構成と比較して、前面からの作業時に端子台に端子を接続しやすくすることができ、端子接続の作業性をさらに向上させることができる。
【００１３】
請求項３に記載された発明によれば、複数の端子接続部が、前面部に沿う平面内かつ端子の接続方向と交差する方向に並設されていることから、端子接続部に端子を接続する際に、他の端子接続部に接続された端子と干渉しにくくすることができ、端子接続の作業性をさらに向上させることができる。
【図面の簡単な説明】
【００１５】
【図１】本発明の実施形態に係るガス警報器を示す正面図である。
【図２】図１のガス警報器を示す背面図である。
【図３】図１のガス警報器を示す斜視図である。
【図４】図３のガス警報器の要部を拡大して示す斜視図である。
【図５】図１のＡ−Ａ断面図である。
【図６】図１のガス警報器を示す断面図である。
【発明を実施するための形態】
【００１６】
以下、本発明の各実施形態を図面に基づいて説明する。本実施形態のガス警報器１は、例えばプロパンガスを対象ガスとしてガス漏れを検出した際に警報を発生するとともにガスメータにおけるガス流路を遮断するものであって、図１〜３に示すように、ケース体２と、端子台３と、ケース体２に収容された図示しないスピーカと、ケース体２に収容された図示しないガスセンサと、を備える。
【００１７】
ケース体２は、例えばポリカーボネートやＡＢＳ樹脂等によって全体が直方体状に形成され、前面部２Ａを有する上ケース２１と、背面部２Ｂを有する下ケース２２と、を備える。前面部２Ａ及び背面部２Ｂは、ＸＹ平面に沿って延在するとともにＺ方向に互いに対向しており、Ｘ方向を長辺とするとともにＹ方向を短辺とする長方形状に形成されている。また、上ケース２１と下ケース２２との間にはスピーカ及びガスセンサを収容可能な収容空間が形成される。
【００１８】
上ケース２１には、スピーカに連通したスピーカ用孔２１１と、ガスセンサに連通したセンサ用孔２１２と、前面部２Ａにおいて凹状に形成された端子台配置部２１３と、２つの挿通孔２１４、２１５と、が形成されている。端子台配置部２１３は、図１における左下に形成され、挿通孔２１４は、端子台配置部２１３の右上（前面部２ＡにおいてＸ方向の中央部やや下かつＹ方向の中央部）に形成され、挿通孔２１５は、端子台配置部２１３のＸ方向下側かつＹ方向中央やや左（前面部２Ａにおいて左下）に形成されている。即ち、挿通孔２１４と挿通孔２１５とは、Ｘ方向及びＹ方向において互いに異なる位置に配置されている。
【００１９】
下ケース２２には、挿通孔２１４に連通した挿通孔２２１と、挿通孔２１５に連通した挿通孔２２２と、挿通孔２２２に連続するとともに後述する電線束Ｅが配索可能な溝部２２３と、が形成されている。従って、挿通孔２１４と挿通孔２２１とによって前面部２Ａと背面部２Ｂとを連通する挿通孔が形成され、同様に、挿通孔２１５と挿通孔２２２とによって前面部２Ａと背面部２Ｂとを連通する挿通孔が形成される。
【００２０】
端子台３は、ワンタッチ式の端子台であって、図４にも拡大して示すように、傾斜面３１と、傾斜面３１に形成された３つの端子接続部３２Ａ〜３２Ｃと、端子接続部３２Ａ〜３２Ｃのそれぞれに対応して設けられた接続用レバー３３Ａ〜３３Ｃと、を有している。
【００２１】
傾斜面３１に対して後述する端子Ｔが略垂直に接続されることから、傾斜面３１に対する法線方向が端子Ｔの接続方向となる。傾斜面３１は図１に示すように正面視（Ｚ方向視）した際にＸ方向及びＹ方向に対して傾斜しており、即ち端子Ｔの接続方向がＸ方向及びＹ方向に対して傾斜している。また、傾斜面３１は図５に示すように、Ｚ方向に対して傾斜して（ＸＹ平面に対して傾斜して）おり、即ち端子Ｔの接続方向がＸＹ平面に対して仰角θ（例えば４５°）を有している。また、傾斜面３１は、正面視した際に挿通孔２１４と挿通孔２１５とを結ぶ方向に沿って延在しており、即ち端子Ｔの接続方向が挿通孔２１４と挿通孔２１５とを結ぶ方向と直交している。
【００２２】
端子接続部３２Ａ〜３２Ｃは、それぞれ、端子Ｔが挿入される穴と、挿入された端子Ｔを挟み込んで保持する保持部と、を備え、接続用レバー３３Ａ〜３３Ｃが操作されることによって保持部が開閉して端子Ｔが接続されるように構成されている。尚、端子接続部３２Ａ〜３２Ｃにおける端子Ｔの接続構造は、このような構成に限定されず任意である。また、端子接続部３２Ａ〜３２Ｃは傾斜面３１上において、ＸＹ平面内且つ端子Ｔの接続方向に直交する方向に並設されている。このような端子接続部３２Ａ〜３２Ｃは、ケース体２の内側の図示しない回路部（スピーカやガスセンサに接続される回路）に電気的に接続され、ガス警報器１が外部機器に信号を送信するように構成されている。
【００２３】
以下、ガス警報器１の設置方法及び端子Ｔの接続方法について説明する。まず、電線としての２本の信号線と１本のＦＧ（フレームグラウンド）線とが束ねられた電線束Ｅを背面部２Ｂにおいて適宜に配索する。尚、ＦＧ線は省略されていてもよい。次いで、図６に示すように、電線束Ｅを挿通孔２１４、２２１又は挿通孔２１５、２２２に挿通して前面部２Ａ側に配索する。電線束Ｅが挿通される挿通孔２１４、２２１又は挿通孔２１５、２２２は、ガス警報器１の設置位置や電線束Ｅの配索先であるガスメータの位置等に応じて適宜に選択されればよい。
【００２４】
このように電線束Ｅが配索されたケース体２を、ガス機器（例えばガスコンロ）の周囲の壁部等に設置する。このとき、Ｘ方向を鉛直方向に向けて縦配置してもよいし、Ｘ方向を水平方向に向けて横配置してもよいし、Ｘ方向が鉛直方向や水平方向から多少の傾きを有していてもよい。このとき、設置位置が高い場合には傾斜面３１が下方を向くようにし、低い場合には上方を向くように設置することが好ましい。
【００２５】
次に、端子Ｔが端子台３を向くように電線束Ｅを端子台配置部２１３内で曲げ、電線の端子Ｔを端子接続部３２Ａ〜３２Ｃに接続する。本実施形態において、端子Ｔは、各電線における絶縁被覆が剥離されて露出した導体部分であるものとするが、導体の先端に適宜な端子金具が設けられてもよい。上記のように接続用レバー３３Ａ〜３３Ｃを操作することによって各端子Ｔを端子接続部３２Ａ〜３２Ｃに接続する。その後、蓋部４を上ケース２１に取り付けることによって端子台配置部２１３を覆い、端子台３を外部から隠す。
【００２６】
尚、ケース体２の壁部等への設置前に端子Ｔを端子接続部３２Ａ〜３２Ｃに接続してもよい。この場合には、端子Ｔを端子接続部３２Ａ〜３２Ｃに接続した後に電線束Ｅを挿通孔に挿通してもよい。
【００２７】
このようにガス警報器１に接続された電線束Ｅは外部機器としてのガスメータに向かって延び、信号線がガスメータに接続されるとともにＦＧ線が接地される。ガスセンサが対象ガスを検知すると、ガス警報器１は信号線を介してガスメータに遮断信号を送信し、ガス流路を遮断させる。また、落雷時に発生するサージ電流がＦＧ線に流れ、信号線に流れないようになっている。
【００２８】
このような本実施形態によれば、以下のような効果がある。即ち、端子台３における端子Ｔの接続方向が、Ｘ方向及びＹ方向（即ち、前面部２Ａの長辺及び短辺）に対して傾斜していることから、ガス警報器１を縦配置した際にも横配置した際にも端子Ｔを端子台３に接続しやすくすることができ、端子接続の作業性を向上させることができる。
【００２９】
さらに、端子Ｔの接続方向がＸＹ平面（前面部２Ａが延在する平面）に対して仰角θを有していることから、接続方向がＸＹ平面に沿って延びる構成と比較して、前面からの作業時に端子台３に端子Ｔを接続しやすくすることができ、端子接続の作業性をさらに向上させることができる。
【００３０】
また、仰角θが４５°であり鋭角であることから、端子接続の作業性を向上させつつ、仰角θが９０°である構成と比較して、端子台配置部２１３の深さを浅くし、ガス警報器１全体のＺ方向寸法を小さくすることができる。
【００３１】
さらに、３つの端子接続部３２Ａ〜３２Ｃが端子Ｔの接続方向と直交する方向に並設されていることから、端子接続部３２Ａ〜３２Ｃに端子Ｔを接続する際に、他の端子接続部３２Ａ〜３２Ｃに接続された端子Ｔと干渉しにくくすることができ、端子接続の作業性をさらに向上させることができる。
【００３２】
また、前面部２Ａと背面部２Ｂとを連通する挿通孔２１４、２２１と挿通孔２１５、２２２とのいずかを選択して電線束Ｅが挿通されることにより、ガス警報器１を壁部に設置した際に、電線束Ｅをこの壁部に沿って配索しやすくすることができる。さらに、ケース体２にこのような挿通孔２１４、２２１と挿通孔２１５、２２２とが形成されていることから、挿通孔を適宜に選択し、電線束Ｅを配索しやすくすることができる。このとき、端子Ｔの接続方向が２つの挿通孔２１４、２２１と挿通孔２１５、２２２とを結ぶ方向に直交していることから、いずれの挿通孔を選択した場合でも、電線束Ｅを曲げた際に曲率半径が小さくなりすぎないようにして電線束Ｅに加わるストレスを軽減することができる。
【００３３】
なお、本発明は、前記実施形態に限定されるものではなく、本発明の目的が達成できる他の構成等を含み、以下に示すような変形等も本発明に含まれる。
【００３４】
例えば、前記実施形態では、端子Ｔの接続方向のＸＹ平面に対する仰角θが４５°であるものとしたが、仰角θは、９０°よりも小さい任意の値であってよく、０°（仰角を有していない）であってもよい。仰角θを大きくすれば端子台３に対して前面から端子Ｔを接続しやすくすることができ、仰角θを小さくすればガス警報器１全体のＺ方向寸法を小さくすることができる。
【００３５】
また、前記実施形態では、３つの端子接続部３２Ａ〜３２Ｃが端子接続部３２Ａ〜３２Ｃは傾斜面３１上においてＸＹ平面に沿う方向に並設されるものとしたが、３つの端子接続部３２Ａ〜３２Ｃは、端子台配置部２１３のスペース等に応じて任意の方向に並設されていてもよい。また、端子接続部は、接続される電線の本数に応じて適宜な数だけ設けられれば良く、１つであってもよい。
【００３６】
また、前記実施形態では、端子Ｔの接続方向が、挿通孔２１４、２２１と挿通孔２１５、２２２とを結ぶ方向と直交するものとしたが、端子Ｔの接続方向は、これらの挿通孔同士を結ぶ方向に対して任意の交差角度を有して交差していてもよい。例えば、２つの挿通孔のうち一方に電線束Ｅが挿通されることが多い場合には、端子Ｔの接続方向が、一方の挿通孔側に向けられていてもよい。また、挿通孔は１つであってもよいし、３以上であってもよい。
【００３７】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３８】
１                 ガス警報器
２                 ケース体
３                 端子台
２Ａ               前面部
２Ｂ               背面部
３２Ａ〜３２Ｃ     端子接続部
２１４、２１５     挿通孔
２２１、２２２     挿通孔
Ｔ                 端子
【図１】
0006523697.tif 000002
【図２】
0006523697.tif 000003
【図３】
0006523697.tif 000004
【図４】
0006523697.tif 000005
【図５】
0006523697.tif 000006
【図６】
0006523697.tif 000007